(57)【要約】【課題】暖房性能及び冷房性能を向上することができる化学蓄熱装置を提供すること。【解決手段】化学蓄熱装置１は、化学蓄熱材が内蔵された反応器１１と、空調空気６と熱交換を行う蒸発器２と、化学蓄熱材の水和反応によって生じた熱によって加熱された温熱媒体６１と、媒体流路３内の媒体蒸気２２１との間において熱交換を行う熱交換手段４とを有している。化学蓄熱材は、水和反応により放熱し、脱水反応により蓄熱する。蒸発器２は、媒体流路３によって反応器１１と連通され、反応媒体２２を蒸発させた媒体蒸気２２１を生成する。化学蓄熱装置１は、熱交換手段４によって媒体蒸気２２１が加熱されることにより得られた過熱蒸気２２２を反応器１１へと供給するよう構成されている。【選択図】図１
2015183883.tif 000002
【特許請求の範囲】
【請求項１】
水和反応により放熱し、脱水反応により蓄熱する化学蓄熱材が内蔵された反応器（１１）と、
媒体流路（３）によって上記反応器（１１）と連通され、反応媒体（２２）を蒸発させた媒体蒸気（２２１）を生成すると共に空調空気（６）と熱交換を行う蒸発器（２）と、
上記化学蓄熱材の水和反応によって生じた熱によって加熱された温熱媒体（６１）と、上記媒体流路（３）内の上記媒体蒸気（２２１）との間において熱交換を行う熱交換手段（４）とを有しており、
該熱交換手段（４）によって上記媒体蒸気（２２１）が加熱されることにより得られた高温高圧の過熱蒸気（２２２）を上記反応器（１１）へと供給するよう構成されていることを特徴とする化学蓄熱装置（１）。
【請求項２】
上記媒体流路（３）には、上記熱交換手段（４）よりも上記蒸発器（２）側の位置に配置された上流側開閉弁（３１１）と、上記熱交換手段（４）よりも上記反応器（１１）側の位置に配置された上流側開閉弁（３１２）とが設けてあり、上記上流側開閉弁（３１１）を開放すると共に上記上流側開閉弁（３１２）を閉止した状態で上記媒体流路（３）へ上記媒体蒸気（２２１）を導入した後、上記上流側開閉弁（３１１）を閉止し、上記上流側開閉弁（３１１）と上記上流側開閉弁（３１２）との間に導入された上記媒体蒸気（２２１）と上記温熱媒体（６１）との間において熱交換することで上記媒体蒸気（２２１）を上記過熱蒸気（２２２）とし、該過熱蒸気（２２２）を上記反応器（１１）へと供給するよう構成されていることを特徴とする請求項１に記載の化学蓄熱装置（１）。
【請求項３】
上記媒体流路（３）には、上記熱交換手段（４）よりも上記反応器（１１）側の位置に配置され、上記過熱蒸気（２２２）を貯留するための下流側貯蓄容器（３２１）を備えていることを特徴とする請求項１又は２に記載の化学蓄熱装置（１）。
【請求項４】
上記熱交換手段（４）は、上記熱交換手段（４）よりも上記蒸発器（２）側の位置に配置され、上記媒体蒸気（２２１）を貯留するための上流側貯蓄容器（３２２）を備えていることを特徴とする請求項１〜３のいずれか一項に記載の化学蓄熱装置（１）。
【請求項５】
上記媒体流路（３）から分岐し、上記媒体流路（３）における上記熱交換手段（４）よりも上記反応器（１１）側の部位と、上記媒体流路（３）における上記熱交換手段（４）よりも上記蒸発器（２）側の部位とを連通するバイパス流路（３３）と、該バイパス流路（３３）を開閉するバイパス開閉弁（３３３）を備えていることを特徴とする請求項１〜４のいずれか一項に記載の化学蓄熱装置（１）
【請求項６】
上記媒体流路（３）は、上記蒸発器（２）と接続された本流路（３４４）と、該本流路（３４４）から複数に分岐する分岐流路（３４２、３４３）とを備えており、該分岐流路（３４２、３４３）によって、それぞれ上記蒸発器（２）と接続された上記反応器（１１）を複数設けてなり、各分岐流路（３４２、３４３）には、該分岐流路（３４２、３４３）をそれぞれ開閉する分岐開閉弁（３４１）を設けてあることを特徴とする請求項１〜５のいずれか一項に記載の化学蓄熱装置（１）。
【請求項７】
上記熱交換手段（４）には、上記温熱媒体（６１）と、上記媒体流路（３）を冷却するための冷熱を伝達する冷熱媒体（６３）とを流通可能に構成されており、上記温熱媒体（６１）及び上記冷熱媒体（６３）と上記媒体蒸気（２２１）との間において熱交換可能に構成されていることを特徴とする請求項１〜６のいずれか一項に記載の化学蓄熱装置（１）。
【発明の詳細な説明】
【技術分野】
【０００１】
本発明は、化学蓄熱材を内蔵した反応器と、反応器へ反応媒体を供給する蒸発器とを備えた化学蓄熱装置に関する。
【背景技術】
【０００２】
近年、自動車等の車両においては、環境負荷を低減させるために、信号待ちなどの停車時にエンジンを停止するアイドリングストップ機能が採用されている。アイドリングストップ機能によりエンジンが停止した状態においては、車両空調を作動させるためのエンジン動力を利用したヒートポンプが作動しないため、蓄熱材を装備した蓄熱エバポレータ等が用いられる。また、ハイブリッド車や電気自動車においては電動コンプレッサを使用したヒートポンプを装備している。しかしながら、蓄熱エバポレータは蓄熱容量が小さく、電動ヒートポンプは消費電力が大きいため、長時間使用や大出力使用に適しておらず、大型トラックの仮眠時の空調や、観光バスにおける車室内の予熱、予冷には適さない。そのため、現状、大型車におけるアイドリングストップは短時間に限られており、例えば、特許文献１に示された化学蓄熱装置等の実用化が待たれている。
【０００３】
特許文献１の化学蓄熱装置は、水和反応により放熱し脱水反応により蓄熱する化学蓄熱材を内蔵した反応器と、化学蓄熱材が水和反応するための水蒸気を反応器へ供給する蒸発器と、脱水反応により生じた水蒸気を凝縮する凝縮部を備えている。蒸発器には、反応媒体が貯留されており、この反応媒体を気化させて反応器へと供給している。反応器に内蔵された化学蓄熱材の水和反応によって生じた熱は、暖房用の温熱源として利用される。また、蒸発器には、反応媒体の気化潜熱によって冷熱が生じるため、冷房用の冷熱源として利用される。
【先行技術文献】
【特許文献】
【０００４】
【特許文献１】特開２０１３−１１２３１０号公報
【発明の概要】
【発明が解決しようとする課題】
【０００５】
しかしながら、特許文献１に示された化学蓄熱装置には以下の課題がある。
特許文献１の化学蓄熱装置において、反応器に内蔵された化学蓄熱材の水和反応は、化学蓄熱材の表面から内側に向かって進んでいく。そのため、化学蓄熱材の水和反応が進むにつれて、媒体蒸気が化学蓄熱材の内側に浸透する際の圧損が大きくなる。これにより、媒体蒸気が化学蓄熱材に浸透しにくくなり、化学蓄熱材における水和反応が進むにつれて、化学蓄熱材の反応性が低下する。このように、化学蓄熱材の反応性が低下すると、化学蓄熱材における媒体蒸気の水和反応量が減少し、反応器への媒体蒸気の供給量が低下する。それゆえ、蒸発器における媒体蒸気の発生量が低下し、蒸発器において十分な冷熱を得ることができなくなり、冷房性能が低下する。また、反応器においても、化学蓄熱材の反応性の低下に伴って暖房性能が低下する。
【０００６】
本発明は、かかる背景に鑑みてなされたものであり、暖房性能及び冷房性能を向上することができる化学蓄熱装置を提供しようとするものである。
【課題を解決するための手段】
【０００７】
本発明の一態様は、水和反応により放熱し、脱水反応により蓄熱する化学蓄熱材が内蔵された反応器と、
媒体流路によって上記反応器と連通され、反応媒体を蒸発させた媒体蒸気を生成すると共に空調空気と熱交換を行う蒸発器と、
上記化学蓄熱材の水和反応によって生じた熱によって加熱された温熱媒体と、上記媒体流路内の上記媒体蒸気との間において熱交換を行う熱交換手段とを有しており、
該熱交換手段によって上記媒体蒸気が加熱されることにより得られた高温高圧の過熱蒸気を上記反応器へと供給するよう構成されていることを特徴とする化学蓄熱装置にある。
【発明の効果】
【０００８】
上記化学蓄熱装置において、上記媒体蒸気は、上記熱交換手段によって加熱されることで膨張し、高温高圧の過熱蒸気となる。そのため、該過熱蒸気は、上記媒体蒸気に比べて、上記反応器に内蔵された上記化学蓄熱材に浸透しやすく、該化学蓄熱材における水和反応を促進することができる。また、上記化学蓄熱材における水和反応の促進に伴って、上記化学蓄熱材における上記媒体蒸気の水和反応量が増大する。したがって、上記蒸発器における上記媒体蒸気の発生が促進される。これにより、上記蒸発器における冷熱の放熱量を増大することができる。また、上記化学蓄熱材の水和反応が促進されることにより、上記反応器における温熱の放熱量を増大することができる。それゆえ、上記化学蓄熱装置における暖房性能及び冷房性能を向上することができる。
【０００９】
また、上記反応器において発生した温熱を用いて、上記媒体蒸気を加熱し、上記過熱蒸気を生成している。そのため、上記媒体蒸気を加熱するための熱源を新たに設ける必要がない。したがって、上記化学蓄熱装置の構造の複雑化、コスト増大を伴うことなく、容易に上記化学蓄熱装置における暖房性能及び冷房性能を向上することができる。
【００１０】
以上のごとく、上記化学蓄熱装置によれば、暖房性能及び冷房性能を向上することができる。
【図面の簡単な説明】
【００１１】
【図１】実施例１における、化学蓄熱装置の構成を示す説明図。
【図２】実施例２における、化学蓄熱装置の構成を示す説明図。
【図３】実施例３における、化学蓄熱装置の構成を示す説明図。
【図４】実施例４における、化学蓄熱装置の構成を示す説明図。
【図５】実施例５における、化学蓄熱装置の構成を示す説明図。
【図６】実施例６における、化学蓄熱装置の構成を示す説明図。
【発明を実施するための形態】
【００１２】
上記化学蓄熱装置において、上記媒体流路には、上記熱交換手段よりも上記蒸発器側の位置に配置された上流側開閉弁と、上記熱交換手段よりも上記反応器側の位置に配置された下流側開閉弁とが設けてあり、上記上流側開閉弁を開放すると共に上記下流側開閉弁を閉止した状態で上記媒体流路へ上記媒体蒸気を導入した後、上記上流側開閉弁を閉止し、上記上流側開閉弁と上記下流側開閉弁との間に導入された上記媒体蒸気と上記温熱媒体との間において熱交換することで上記媒体蒸気を上記過熱蒸気とし、該過熱蒸気を上記反応器へと供給するよう構成されていることが好ましい。この場合には、上記媒体流路における上記上流側開閉弁と上記下流側開閉弁とによって閉止された空間内で、上記媒体蒸気を加熱することにより、上記過熱蒸気をより高圧にすることができる。これにより、上記反応器に内蔵された上記化学蓄熱材における水和反応をより促進することができる。
【００１３】
また、上記媒体流路には、上記熱交換手段よりも上記反応器側の位置に配置され、上記過熱蒸気を貯留するための下流側貯蓄容器を備えていることが好ましい。この場合には、上記過熱蒸気を上記下流側貯蓄容器に貯留することで、上記反応器に上記過熱蒸気を安定して供給することができる。
【００１４】
また、上記熱交換手段は、上記熱交換手段よりも上記蒸発器側の位置に配置され、上記媒体蒸気を貯留するための上流側貯蓄容器を備えていることが好ましい。この場合には、上記過熱蒸気が、上記反応器側へ逆流するのを防止することができる。
【００１５】
また、上記媒体流路は、上記蒸発器と接続された本流路と、該本流路から複数に分岐する分岐流路とを備えており、該分岐流路によって、それぞれ上記蒸発器と接続された上記反応器を複数設けてなり、各分岐流路には、該分岐流路をそれぞれ開閉する分岐開閉弁を設けてあることが好ましい。この場合には、上記化学蓄熱材における水和反応性が高く、上記媒体蒸気が安定して発生する反応初期においては、上記バイパス流路を通じて、上記媒体蒸気を上記反応器へと供給することができる。これにより、反応初期には、上記媒体蒸気を上記反応器へ供給する際の圧損を低減し、上記媒体蒸気を効率よく上記反応器へと供給することができる。一方で、反応後期には、上述のごとく、上記媒体蒸気を上記媒体流路へ流通させ、上記熱交換手段によって上記媒体蒸気を加熱し、上記過熱蒸気を発生させる。これにより、上記化学蓄熱材の水和反応性を向上し、上記化学蓄熱装置における暖房性能及び冷房性能を向上することができる。
【実施例】
【００１６】
（実施例１）
上記化学蓄熱装置にかかる実施例について、図１を参照して説明する。
図１に示すごとく、化学蓄熱装置１は、化学蓄熱材が内蔵された反応器１１と、空調空気６と熱交換を行う蒸発器２と、化学蓄熱材の水和反応によって生じた熱によって加熱された温熱媒体６１と、媒体流路３内を流通する媒体蒸気２２１との間において熱交換を行う熱交換手段４とを有している。化学蓄熱材は、水和反応により放熱し、脱水反応により蓄熱する。蒸発器２は、媒体流路３によって反応器１１と連通され、反応媒体２２を蒸発させた媒体蒸気２２１を生成する。化学蓄熱装置１は、熱交換手段４によって媒体蒸気２２１が加熱されることにより得られた高温高圧の過熱蒸気２２２を反応器１１へと供給するよう構成されている。
【００１７】
以下、さらに詳細に説明する。
本例に示す化学蓄熱装置１は、化学蓄熱材を内蔵した反応器１１と、反応器１１へ媒体蒸気２２１を供給するための蒸発器２とを備えている。反応器１１は、車両用空調における暖房の熱源として利用されており、蒸発器２は、車両用空調における冷房の冷熱源として利用されている。
【００１８】
反応器１１は、化学蓄熱材と、化学蓄熱材を内包する容器とを有している。化学蓄熱材は、脱水反応に伴って蓄熱し、水和反応に伴って放熱する。
化学蓄熱材は、例えば、水酸化カルシウム（Ｃａ（ＯＨ）２）によって形成されている。反応器１１内では、以下に示すように蓄熱、放熱が可逆的に繰り返される。
Ｃａ（ＯＨ）２  ⇔  ＣａＯ  ＋  Ｈ２Ｏ
なお、化学蓄熱材としては、水酸化カルシウム以外にも、蓄熱、放熱を可逆的に繰り返す材料を用いることができる。
【００１９】
また、反応器１１には、化学蓄熱材を加熱するための図示しない加熱流路と、化学蓄熱材が放熱した熱を外部へ放出させるための熱媒流路５とが設けられている。
加熱流路には、例えば、エンジンの排気ガスを流通する排気ラインが接続されており、この排気ラインから供給された高温の排気ガスによって化学蓄熱材が加熱される。なお、排気ガスに以外にも、車両に搭載されたモータジェネレータ、オルタネータもしくは発電式リターダなどから、減速時等に発生する余剰から電力の供給を受けて作動する電気ヒータ等をもちいることができる。
【００２０】
図１に示すごとく、熱媒流路５は、反応器１１と熱交換手段４とを接続しており、化学蓄熱材によって加熱された温熱媒体６１を流通可能に形成されている。本例の温熱媒体６１は、車両用空調の暖房に用いられる空調空気６であり、図示しないブロアファンによって反応器１１内へと送風される。温熱媒体６１は、化学蓄熱装置１の水和反応によって生じた熱を吸熱した後、熱交換手段４へと送られる。
【００２１】
反応器１１と蒸発器２とは、化学蓄熱材と水和反応するための媒体蒸気２２１、又は化学蓄熱材の脱水反応で生じた媒体蒸気２２１を流通する媒体流路３によって連通している。反応器１１、蒸発器２、及び媒体流路３は互いの接続部において気密に接続されており、これらの内部空間が真空脱気されている。これにより、蒸発器２の蒸発凝縮室２１内の反応媒体２２が蒸発し易くなっている。
【００２２】
媒体流路３には、温熱媒体６１と媒体蒸気２２１との間において熱交換を行うための熱交換手段４と、熱交換手段４よりも蒸発器２側に設けられた上流側開閉弁３１１と、熱交換手段４よりも反応器１１側に設けられた上流側開閉弁３１２とを有している。
熱交換手段４は、温熱媒体６１を流通する熱媒流路５によって反応器１１と接続されると共に、媒体蒸気２２１を流通する媒体流路３内に配置されている。熱交換手段４としては、例えば、温熱媒体６１を流通する配管部と、配管部から延設された伝熱フィンとを有する熱交換器等を用いることができる。
上流側開閉弁３１１及び上流側開閉弁３１２は、それぞれ独立して媒体流路３を開閉可能に構成されている。上流側開閉弁３１１及び上流側開閉弁３１２としては、電子制御により開閉動作をすることができる電磁バルブ等を用いることができる。
【００２３】
媒体流路３を介して反応器１１と接続された蒸発器２には、媒体蒸気２２１の生成及び媒体蒸気２２１の凝縮を行うための蒸発凝縮室２１を備えた蒸発凝縮器を用いている。蒸発凝縮室２１には、反応媒体２２が貯留されており、化学蓄熱材を水和反応させる際に、反応器１１との蒸気圧差により媒体蒸気２２１を生成するように構成されている。また、蒸発器２には、蒸発凝縮室２１を冷却するためのブロア（図示略）が設けられている。このブロアを用いて、蒸発凝縮室２１に流入された媒体蒸気２２１を冷却することで反応媒体２２に凝縮される。
【００２４】
次に化学蓄熱装置１の動作について説明する。
車両が停車しエンジンが停止した際に、化学蓄熱装置１が作動する。このとき、化学蓄熱材は、脱水された蓄熱状態にある。
化学蓄熱材における水和反応の反応性が高い反応初期には、上流側開閉弁３１１及び上流側開閉弁３１２を開放する。媒体流路３内を流通する媒体蒸気２２１は、熱交換手段４によって加熱膨張し、過熱蒸気２２２として反応器１１へと供給される。
【００２５】
そして、化学蓄熱材における水和反応が進み反応性が低下した反応後期には、上流側開閉弁３１１を開放すると共に上流側開閉弁３１２を閉止した状態で媒体流路３へ媒体蒸気２２１を導入する。そして、上流側開閉弁３１１を閉止し、上流側開閉弁３１１と上流側開閉弁３１２との間に導入された媒体蒸気２２１と、化学蓄熱材の放熱によって加熱された温熱媒体６１との間において熱交換し、媒体蒸気２２１を加熱する。これにより、過熱蒸気２２２をより高圧にすることができる。上流側開閉弁３１２を開放することにより、過熱蒸気２２２が反応器１１へと供給される。
【００２６】
次に本例の作用効果について説明する。
化学蓄熱装置１において、媒体蒸気２２１は、熱交換手段４によって加熱されることで膨張し、高圧の過熱蒸気２２２となる。そのため、過熱蒸気２２２は、媒体蒸気２２１に比べて、反応器１１に内蔵された化学蓄熱材に浸透しやすく、化学蓄熱材における水和反応を促進することができる。また、化学蓄熱材における水和反応の促進に伴って、化学蓄熱材における媒体蒸気２２１の水和反応量が増大する。したがって、蒸発器２における媒体蒸気２２１の発生が促進される。これにより、蒸発器２における冷熱の放熱量を増大することができる。また、化学蓄熱材の水和反応が促進されることにより、反応器１１における温熱の放熱量を増大することができる。それゆえ、化学蓄熱装置１における暖房性能及び冷房性能を向上することができる。
【００２７】
また、反応器１１において発生した温熱を用いて、媒体蒸気２２１を加熱し、過熱蒸気２２２を生成している。そのため、媒体蒸気２２１を加熱するための熱源を新たに設ける必要がない。したがって、化学蓄熱装置１の構造の複雑化、コスト増大を伴うことなく、容易に化学蓄熱装置１における暖房性能及び冷房性能を向上することができる。
【００２８】
また、媒体流路３には、熱交換手段４よりも蒸発器２側の位置に配置された上流側開閉弁３１１と、熱交換手段４よりも反応器１１側の位置に配置された上流側開閉弁３１２とが設けてあり、上流側開閉弁３１１を開放すると共に上流側開閉弁３１２を閉止した状態で媒体流路３へ媒体蒸気２２１を導入した後、上流側開閉弁３１１を閉止し、上流側開閉弁３１１と上流側開閉弁３１２との間に導入された媒体蒸気２２１と温熱媒体６１との間において熱交換することで媒体蒸気２２１を過熱蒸気２２２とし、過熱蒸気２２２を反応器１１へと供給するよう構成されている。そのため、媒体流路３における上流側開閉弁３１１と上流側開閉弁３１２とによって閉止された空間内で、媒体蒸気２２１を加熱することにより、過熱蒸気２２２をより高圧にすることができる。これにより、反応器１１に内蔵された化学蓄熱材における水和反応をより促進することができる。
【００２９】
以上のごとく、本例の化学蓄熱装置１によれば、暖房性能及び冷房性能を向上することができる。
【００３０】
（実施例２）
本例は、図２に示すごとく、実施例１における化学蓄熱装置の構造を変更した例を示すものである。
本例の化学蓄熱装置１の媒体流路３は、熱交換手段４よりも反応器１１側の位置に配置された下流側貯蓄容器３２１を備えている。下流側貯蓄容器３２１は、その内部の空間に過熱蒸気２２２を貯留することができる。
その他の構成は実施例１と同様である。尚、本例又は本例に関する図面において用いた符号のうち、実施例１において用いた符号と同一のものは、特に示さない限り、実施例１と同様の構成要素等を表す。
【００３１】
本例の化学蓄熱装置１によれば、過熱蒸気２２２を下流側貯蓄容器３２１に貯留することで、反応器１１に過熱蒸気２２２を安定して供給することができる。
また、本例においても実施例１と同様の作用効果を得ることができる。
【００３２】
（実施例３）
本例は、図３に示すごとく、実施例１における化学蓄熱装置の構成を変更した例を示すものである。
本例の化学蓄熱装置１の媒体流路３は、熱交換手段４よりも蒸発器２側の位置に配置された上流側貯蓄容器３２２を備えている。上流側貯蓄容器３２２は、その内部の空間に媒体蒸気２２１を貯留することができる。
その他の構成は実施例１と同様である。尚、本例又は本例に関する図面において用いた符号のうち、実施例１において用いた符号と同一のものは、特に示さない限り、実施例１と同様の構成要素等を表す。
【００３３】
本例の化学蓄熱装置１によれば、過熱蒸気２２２が、反応器１１側へ逆流するのを防止することができる。
また、本例においても実施例１と同様の作用効果を得ることができる。
【００３４】
（実施例４）
本例は、図４に示すごとく、実施例１における化学蓄熱装置の構成を変更した例を示すものである。
本例の化学蓄熱装置１は、媒体流路３から分岐し、媒体流路３における熱交換手段４よりも反応器１１側の部位と、媒体流路３における熱交換手段４よりも蒸発器２側の部位とを連通するバイパス流路３３を備えている。バイパス流路３３の反応器側端部３３１は、反応器１１と上流側開閉弁３１２との間において、媒体流路３と接続されている。また、バイパス流路３３の蒸発器側端部３３２は、媒体流路３に設けられた三方弁からなるバイパス開閉弁３３３と接続されている。バイパス開閉弁３３３は、上流側開閉弁３１１を兼ねるものであり、媒体流路３を開放しバイパス流路３３を閉止することにより、熱交換手段４が設けられた媒体流路３へ媒体蒸気２２１を流通させることができる。また、バイパス開閉弁３３３によって、媒体流路３を閉止し、バイパス流路３３を開放することにより、バイパス流路３３へ媒体蒸気２２１を流通させることができる。
その他の構成は実施例１と同様である。尚、本例又は本例に関する図面において用いた符号のうち、実施例１において用いた符号と同一のものは、特に示さない限り、実施例１と同様の構成要素等を表す。
【００３５】
本例の化学蓄熱装置１によれば、化学蓄熱材における水和反応性が高く、媒体蒸気２２１が安定して発生する反応初期においては、バイパス流路３３を通じて、媒体蒸気２２１を反応器１１へと供給することができる。これにより、反応初期には、媒体蒸気２２１を反応器１１へ供給する際の圧損を低減し、媒体蒸気２２１を効率よく反応器１１へと供給することができる。一方で、反応後期には、上述のごとく、媒体蒸気２２１を媒体流路３へ流通させ、熱交換手段４によって媒体蒸気２２１を加熱し、過熱蒸気２２２を発生させる。これにより、化学蓄熱材の水和反応性を向上し、化学蓄熱装置１における暖房性能及び冷房性能を向上することができる。
また、本例においても実施例１と同様の作用効果を得ることができる。
【００３６】
（実施例５）
本例は、図５に示すごとく、実施例１における化学蓄熱装置の構成を変更した例を示すものである。
本例の化学蓄熱装置１は、第１反応器１１１及び第２反応器１１２の２つの反応器１を備えている。第１反応器１１１及び第２反応器１１２は、第１熱媒流路５０２及び第２熱媒流路５０３によって、熱交換手段４としての第１熱交換手段４１と第２熱交換手段４２とにそれぞれ接続されている。また、媒体流路３は、蒸発器２と接続された本流路３４４と、本流路３４４から分岐した第１分岐流路３４２と第２分岐流路３４３とを有している。第１反応器１１１及び第２反応器１１２は、第１分岐流路３４２と第２分岐流路３４３とにそれぞれ接続されている。つまり、第１反応器１１１及び第２反応器１１２は、本流路３４４、第１分岐流路３４２及び第２分岐流路３４３を介して蒸発器２と接続されている。
【００３７】
媒体流路３における第１分岐流路３４２と第２分岐流路３４３との分岐点には、三方弁からなる分岐開閉弁３４１を設けてある。分岐開閉弁３４１によって、第１分岐流路３４２を開放し第２分岐流路３４３を閉止することにより、第１反応器１１１に過熱蒸気２２２を供給することができる。また、分岐開閉弁３４１によって、第１分岐流路３４２を閉止し第２分岐流路３４３を開放することにより、第２反応器１１２に過熱蒸気２２２を供給することができる。つまり、分岐開閉弁３４１によれば、第１分岐流路３４２及び第２分岐流路３４３に、それぞれ閉止弁を設けた場合と同様に、第１分岐流路３４２と第２分岐流路３４３とを順番に開閉する動作を行うことができる。
その他の構成は実施例１と同様である。尚、本例又は本例に関する図面において用いた符号のうち、実施例１において用いた符号と同一のものは、特に示さない限り、実施例１と同様の構成要素等を表す。
【００３８】
本例の化学蓄熱装置１によれば、複数の反応器１１に内蔵された化学蓄熱材を交互に水和反応させることにより、蒸発器２における媒体蒸気２２１の発生量を増大することができる。したがって、複数の反応器１１における暖房性能及び蒸発器２における冷房性能を向上することができる。
また、本例においても実施例１と同様の作用効果を得ることができる。
【００３９】
（実施例６）
本例は、図６に示すごとく、実施例１における化学蓄熱装置の構成を変更した例を示すものである。
本例の化学蓄熱装置１の熱交換手段４は、反応器１１によって加熱された温熱媒体６１と、媒体流路３を冷却するための冷熱を伝達する冷熱媒体６３とを流通可能に構成されている。反応器１１と熱交換手段４との間には、温熱媒体６１又は冷熱媒体６３を流通する熱媒流路５０１を設けてある。
【００４０】
熱媒流路５０１は、反応器１１と接続された反応器側流路５１と、反応器側流路５１から直接車室内へと温熱媒体６１を直接導入するための第１温熱流路５２と、反応器側流路５１から熱交換手段４へと温熱媒体６１を供給するための第２温熱流路５３とを有している。反応器側流路５１、第１温熱流路５２及び第２温熱流路５３は、三方弁からなる反応器側開閉弁５６によって接続されている。また、熱媒流路５０１は、冷熱媒体６３としての外気を導入する外気導入流路５４と、熱交換手段４と接続された熱交換手段側流路５５とを有している。第２温熱流路５３、外気導入流路５４及び熱交換手段側流路５５は、三方弁からなる熱交換手段側開閉弁５７によって接続されている。
【００４１】
熱交換手段４に温熱媒体６１を供給する際には、反応器側開閉弁５６によって、第１温熱流路５２を閉止し、反応器側流路５１と第２温熱流路５３とを連通させる。また、熱交換手段側開閉弁５７によって、外気導入流路５４を閉止し、第２温熱流路５３と熱交換手段側流路５５とを連通させる。
また、熱交換手段４に冷熱媒体６３を供給する際には、反応器側開閉弁５６によって、第２温熱流路５３を閉止し、反応器側流路５１と第１温熱流路５２とを連通させる。また、熱交換手段側開閉弁５７によって、第２温熱流路５３を閉止し、外気導入流路５４と熱交換手段側流路５５とを連通させる。
その他の構成は実施例１と同様である。尚、本例又は本例に関する図面において用いた符号のうち、実施例１において用いた符号と同一のものは、特に示さない限り、実施例１と同様の構成要素等を表す。
【００４２】
本例の化学蓄熱装置１によれば、熱交換手段４に冷熱媒体６３を流通させ媒体流路３内の媒体蒸気２２１を冷却することで、媒体流路３内の圧力を低下させることができる。これにより、媒体流路３に媒体蒸気２２１を容易に導入することができる。
また、本例においても実施例１と同様の作用効果を得ることができる。
【００４３】
上記実施例１〜上記実施例６においては、蒸発器２と凝縮器とを一体に形成する蒸発器２を用いた。これ以外にも、蒸発器２と凝縮器とを互いに別体に設けてもよい。
【符号の説明】
【００４４】
１  化学蓄熱装置
１１  反応器
２  蒸発器
２２  反応媒体
２２１  媒体蒸気
２２２  過熱蒸気
３  媒体流路
４  熱交換手段
６  空調空気
６１  温熱媒体
【図１】
2015183883.tif 000003
【図２】
2015183883.tif 000004
【図３】
2015183883.tif 000005
【図４】
2015183883.tif 000006
【図５】
2015183883.tif 000007
【図６】
2015183883.tif 000008